(57)【要約】【課題】クライアント端末における操作性を向上させる。【解決手段】各クライアント端末５０Ａ，５０Ｘ，・・・からの操作に応じて、操作が行われたクライアント端末５０Ａ，５０Ｘ，・・・に操作画面のデータを提供するサーバー装置４０を備える医用画像撮影システム１００において、複数のクライアント端末５０Ａ，５０Ｘ，・・・の中の任意のクライアント端末について、親クライアント端末と子クライアント端末との組み合わせを予め設定しておく。サーバー装置４０は、子クライアント端末として設定されているクライアント端末５０Ａからアクセスがあった場合に、親クライアント端末として設定されているクライアント端末５０Ｘに表示されている操作画面と同一の操作画面のデータをクライアント端末５０Ａに提供する。【選択図】図１
2014124379.tif 000002
【特許請求の範囲】
【請求項１】
サーバー装置と複数のクライアント端末とがデータ通信可能に接続され、前記サーバー装置と画像生成装置とがデータ通信可能に接続された医用画像撮影システムであって、
前記サーバー装置は、
前記複数のクライアント端末の各クライアント端末からの操作に応じて、当該操作が行われたクライアント端末に表示される操作画面のデータを当該操作が行われたクライアント端末に提供する表示制御手段と、
前記各クライアント端末からの画像取り込み指示に基づいて、前記画像生成装置により生成された医用画像を取り込み、当該取り込まれた医用画像を前記画像取り込み指示のあったクライアント端末に提供する画像管理手段と、
前記複数のクライアント端末の中の任意のクライアント端末について予め設定されている親クライアント端末と子クライアント端末との組み合わせを記憶する記憶手段と、
を備え、
前記表示制御手段は、前記子クライアント端末からアクセスがあった場合に、前記親クライアント端末に表示されている操作画面と同一の操作画面のデータを前記子クライアント端末に提供する医用画像撮影システム。
【請求項２】
前記操作画面には、当該医用画像撮影システムへのログインを行うためのログイン画面、撮影対象患者を選択するための患者リスト画面、医用画像の取り込みを指示するための画像表示画面が含まれる請求項１に記載の医用画像撮影システム。
【請求項３】
前記画像生成装置は、複数の放射線検出素子により放射線発生装置から照射される放射線の照射タイミングを検知し、当該放射線の照射に応じて医用画像を生成するものであり、
前記サーバー装置は、
前記各クライアント端末から前記画像取り込み指示が受信されたことを契機として、前記画像生成装置に駆動状態への移行を指示する駆動指示を送信する状態制御手段を備える請求項１又は２に記載の医用画像撮影システム。
【発明の詳細な説明】
【技術分野】
【０００１】
本発明は、医用画像撮影システムに関する。
【背景技術】
【０００２】
近年、医療の分野においては、様々な画像生成装置により生成された医用画像を取り込み、取り込んだ医用画像を画像ＤＢ（DataBase）に保存して管理する医用画像管理装置が用いられている（特許文献１参照）。
【０００３】
このような医用画像管理装置（サーバー装置）とクライアント端末とからなるシステムでは、図８に示すように、クライアント端末にて、医師がログイン画面においてユーザー名とパスワードを入力すると（操作Ｕ１）、患者リスト画面に遷移する。患者リスト画面において患者を選択すると（操作Ｕ２）、その患者を撮影して得られる医用画像を取り込むための画像表示画面に遷移する。画像表示画面において、画像生成装置からの医用画像の取り込みを指示するための画像取り込みボタンを押下すると（操作Ｕ３）、サーバー装置は、画像生成装置からの医用画像の取り込み待機状態となる。画像生成装置により撮影対象患者について医用画像が生成されると、生成された医用画像が画像生成装置からサーバー装置に取り込まれる。そして、クライアント端末では、サーバー装置に取り込まれた医用画像を参照可能となる。
【０００４】
従来の撮影では、例えば、診察室に設けられたクライアント端末において、医師が上記操作Ｕ１〜Ｕ３を順に行い、サーバー装置を画像生成装置からの医用画像の取り込み待機状態にした後に撮影室へ移動し、撮影を行っている。
【０００５】
画像生成装置がＦＰＤ（Flat Panel Detector）パネルの場合には、ＦＰＤパネル自体で放射線発生装置から照射される放射線の照射タイミングを検知し、放射線の照射に応じて医用画像を生成している。ＦＰＤパネルを常に駆動状態（レディー状態）にしておくと、バッテリーの消費が早く、また、ＦＰＤパネルに与えられた振動により放射線が照射されたと誤検知してしまう可能性があるため、画像取り込みボタンの押下に連動してＦＰＤパネルを駆動状態に移行させている。できる限り撮影直前にＦＰＤパネルを駆動状態にすることが望ましいため、診察室に設けられたクライアント端末とは別に、撮影室にもクライアント端末を設置し、撮影室で画像取り込みボタンを押下できると便利である。
【先行技術文献】
【特許文献】
【０００６】
【特許文献１】特開２０１０−１２４９４３号公報
【発明の概要】
【発明が解決しようとする課題】
【０００７】
しかしながら、診察室と撮影室のそれぞれにクライアント端末が設置されている状態で、診察室における診断の途中で撮影の実施を決めた場合には、各クライアント端末での操作を重複して行わなければならないという問題があった。
【０００８】
例えば、診察室に設けられたクライアント端末にて、医師が上記操作Ｕ１及び操作Ｕ２を行い、診察室のクライアント端末に選択された患者の画像表示画面が表示された状態で、医師が患者の撮影が必要であると判断した場合、医師は患者とともに撮影室へ移動する。そして、撮影室に設置されたクライアント端末でも、同様に、医師が上記操作Ｕ１及び操作Ｕ２を行い、画像表示画面において画像取り込みボタンを押下することにより（操作Ｕ３）、サーバー装置を画像生成装置からの医用画像の取り込み待機状態とする。
【０００９】
従来技術においては、サーバー装置で管理されている情報を、複数のクライアント端末で同様に参照することはできるが、ある特定のクライアント端末に表示されている表示内容を別のクライアント端末に表示させるためには、別のクライアント端末においても、特定のクライアント端末と同様の手順で操作を行う必要があった。
【００１０】
本発明は、上記の従来技術における問題に鑑みてなされたものであって、クライアント端末における操作性を向上させることを課題とする。
【課題を解決するための手段】
【００１１】
上記課題を解決するために、請求項１に記載の発明は、サーバー装置と複数のクライアント端末とがデータ通信可能に接続され、前記サーバー装置と画像生成装置とがデータ通信可能に接続された医用画像撮影システムであって、前記サーバー装置は、前記複数のクライアント端末の各クライアント端末からの操作に応じて、当該操作が行われたクライアント端末に表示される操作画面のデータを当該操作が行われたクライアント端末に提供する表示制御手段と、前記各クライアント端末からの画像取り込み指示に基づいて、前記画像生成装置により生成された医用画像を取り込み、当該取り込まれた医用画像を前記画像取り込み指示のあったクライアント端末に提供する画像管理手段と、前記複数のクライアント端末の中の任意のクライアント端末について予め設定されている親クライアント端末と子クライアント端末との組み合わせを記憶する記憶手段と、を備え、前記表示制御手段は、前記子クライアント端末からアクセスがあった場合に、前記親クライアント端末に表示されている操作画面と同一の操作画面のデータを前記子クライアント端末に提供する。
【００１２】
請求項２に記載の発明は、請求項１に記載の医用画像撮影システムにおいて、前記操作画面には、当該医用画像撮影システムへのログインを行うためのログイン画面、撮影対象患者を選択するための患者リスト画面、医用画像の取り込みを指示するための画像表示画面が含まれる。
【００１３】
請求項３に記載の発明は、請求項１又は２に記載の医用画像撮影システムにおいて、前記画像生成装置は、複数の放射線検出素子により放射線発生装置から照射される放射線の照射タイミングを検知し、当該放射線の照射に応じて医用画像を生成するものであり、前記サーバー装置は、前記各クライアント端末から前記画像取り込み指示が受信されたことを契機として、前記画像生成装置に駆動状態への移行を指示する駆動指示を送信する状態制御手段を備える。
【発明の効果】
【００１４】
本発明によれば、クライアント端末における操作性を向上させることができる。
【図面の簡単な説明】
【００１５】
【図１】本発明に係る医用画像撮影システムのシステム構成図である。
【図２】ＦＰＤパネルの外観を示す斜視図である。
【図３】ＦＰＤパネルの等価回路を表すブロック図である。
【図４】サーバー装置の機能的構成を示すブロック図である。
【図５】画像管理テーブルの例である。
【図６】親子関係設定テーブルの例である。
【図７】クライアント端末の機能的構成を示すブロック図である。
【図８】クライアント端末に表示される操作画面の遷移を説明するための図である。
【図９】ログイン画面の例である。
【図１０】患者リスト画面の例である。
【図１１】画像表示画面の例である。
【図１２】サーバー装置において行われる画像取り込み処理を示すフローチャートである。
【図１３】サーバー装置において行われる画像取り込み処理を示すフローチャートである。
【図１４】サーバー装置において行われる画像取り込み処理を示すフローチャートである。
【図１５】医用画像が表示された状態の画像表示画面の例である。
【図１６】クライアント端末間で親子関係が成立している途中で、親クライアント端末で画像表示画面への遷移があった場合に、サーバー装置において行われる処理を示すフローチャートである。
【発明を実施するための形態】
【００１６】
以下、本発明に係る医用画像撮影システムの実施の形態について、図面を参照して説明する。ただし、本発明は、図示例に限定されるものではない。
【００１７】
［医用画像撮影システムの構成］
図１に、医用画像撮影システム１００のシステム構成を示す。医用画像撮影システム１００は、受付装置３０、サーバー装置４０、複数のクライアント端末５０Ａ，５０Ｘ，・・・（以下、総称してクライアント端末５０ともいう。）、ＦＰＤパネル１等を備えて構成される。医用画像撮影システム１００を構成する各装置は、図示しないスイッチングハブ等を介してＬＡＮ（Local Area Network）等の通信ネットワークＮに接続されている。具体的には、サーバー装置４０と複数のクライアント端末５０Ａ，５０Ｘ，・・・とは、通信ネットワークＮを介してデータ通信可能に接続されており、サーバー装置４０とＦＰＤパネル１とは、通信ネットワークＮを介してデータ通信可能に接続されている。クライアント端末５０Ｘは、診察室Ｒ１内に設置されており、クライアント端末５０Ａ、ＦＰＤパネル１は、撮影室Ｒ２内に設置されている。
【００１８】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ（Modality Worklist Management）やＤＩＣＯＭ  ＭＰＰＳ（Modality Performed Procedure Step）が用いられる。なお、本実施の形態に適用可能な通信方式はこれに限定されない。
【００１９】
受付装置３０は、来院した患者の受付登録、会計計算、保険点数計算等を行うためのコンピューター装置である。受付装置３０は、受付情報（受付番号、患者名等）が入力されると、受付された患者の患者情報を記憶し、外部機器からの要求に応じて受付患者の患者情報を提供する。
【００２０】
サーバー装置４０は、ＦＰＤパネル１により生成された医用画像を患者情報と対応付けて管理し、外部機器からの要求に応じて医用画像及び患者情報を提供する。
【００２１】
クライアント端末５０は、サーバー装置４０におけるＦＰＤパネル１からの医用画像の取り込み、サーバー装置４０で管理されている医用画像の参照等を指示するためのコンピューター装置である。クライアント端末５０は、タブレット型端末等により構成されてもよく、クライアント端末５０とサーバー装置４０との間のデータ通信は、無線により行われることとしてもよい。例えば、撮影室Ｒ２に設置されたクライアント端末５０Ａとして、タブレット型端末が用いられる。
【００２２】
ＦＰＤパネル１は、平板状のカセッテ型の画像生成装置であり、患者の診断対象部位を被写体として撮影を行う。ＦＰＤパネル１は、図示しない放射線発生装置から照射され、被写体を透過した放射線に基づいて、放射線画像の画像データを生成する。ＦＰＤパネル１は、放射線発生装置から照射される放射線の照射タイミングを検知し、当該放射線の照射に応じて医用画像を生成するものである。
なお、医用画像撮影システム１００には、ＣＲ（Computed Radiography）装置、超音波診断装置（ＵＳ）等、ＦＰＤパネル１以外の画像生成装置が設けられていてもよい。
【００２３】
次に、ＦＰＤパネル１の構成について説明する。
図２は、ＦＰＤパネル１の外観を示す斜視図である。図２に示すように、ＦＰＤパネル１は、放射線が照射される側の面である放射線入射面Ｒを有する筐体に、ＦＰＤパネル１の電源をオン／オフするための電源スイッチ２、バッテリー２１（図３参照）の状態やＦＰＤパネル１の動作状態等を表示するＬＥＤ（Light Emitting Diode）等で構成されたインジケーター３、バッテリー２１の充電を行うためのコネクター４が設けられて構成されている。
【００２４】
図３は、ＦＰＤパネル１の等価回路を表すブロック図である。図３に示すように、ＦＰＤパネル１の検出部Ｐには、複数の走査線５と複数の信号線６とが互いに交差するように配設されている。複数の走査線５と複数の信号線６により区画された各小領域には、放射線検出素子７がそれぞれ設けられ、複数の放射線検出素子７が二次元状（マトリクス状）に配列されている。本実施の形態では、放射線検出素子７としてフォトダイオードが用いられているが、例えば、フォトトランジスター等の他の放射線検出素子を用いることも可能である。
【００２５】
各放射線検出素子７の第１電極７ａには、スイッチ手段であるＴＦＴ（Thin Film Transistor；薄膜トランジスタ）８のソース電極８ｓ（図３の「Ｓ」）が接続されている。また、ＴＦＴ８のドレイン電極８ｄ（図３の「Ｄ」）は信号線６に接続され、ＴＦＴ８のゲート電極８ｇ（図３の「Ｇ」）は走査線５に接続されている。
【００２６】
ＴＦＴ８は、走査駆動手段１２から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積するようになっている。
【００２７】
また、１列の放射線検出素子７（図３において縦方向に並ぶ放射線検出素子７）毎に１本の割合でバイアス線９が設けられ、各放射線検出素子７の第２電極７ｂがそれぞれバイアス線９に接続されている。各バイアス線９は検出部Ｐの外側の位置で結線１０に結束されている。結線１０はバイアス電源１１に接続されており、バイアス電源１１から結線１０や各バイアス線９を介して各放射線検出素子７の第２電極７ｂに逆バイアス電圧が印加されるようになっている。
【００２８】
各走査線５は、走査駆動手段１２のゲートドライバー１２ｂにそれぞれ接続されている。走査駆動手段１２では、配線１２ｃを介して電源回路１２ａからゲートドライバー１２ｂにオン電圧とオフ電圧が供給されるようになっている。そして、ゲートドライバー１２ｂで走査線５の各ラインＬ１〜Ｌｘに印加する電圧をオン電圧とオフ電圧との間で切り替えることで、各ＴＦＴ８のオン／オフ動作を制御するようになっている。
【００２９】
また、各信号線６は、読み出しＩＣ１３内に内蔵された各読み出し回路１４にそれぞれ接続されている。読み出し回路１４は、増幅回路１５、相関二重サンプリング回路（ＣＤＳ）１６等で構成されている。読み出しＩＣ１３内には、さらに、アナログマルチプレクサー１７と、Ａ／Ｄ変換器１８とが設けられている。
【００３０】
各放射線検出素子７からの画像データの読み出し処理では、走査駆動手段１２のゲートドライバー１２ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００３１】
増幅回路１５では、信号線６を介して流れ込んできた電荷の量に応じた電圧値が出力側から出力される。相関二重サンプリング回路１６は、各放射線検出素子７から電荷が流れ込む前後の増幅回路１５からの出力値の増加分をアナログ値の画像データとして下流側に出力する。
【００３２】
そして、出力された各画像データがアナログマルチプレクサー１７を介してＡ／Ｄ変換器１８に順次送信され、Ａ／Ｄ変換器１８でデジタル値の画像データに順次変換されて記憶部２０に出力されて順次保存される。
【００３３】
制御部１９は、図示しないＣＰＵ（Central Processing Unit）、ＲＯＭ（Read Only Memory）、ＲＡＭ（Random Access Memory）、入出力インターフェース等がバスに接続されたコンピューターや、ＦＰＧＡ（Field Programmable Gate Array）等により構成されている。なお、制御部１９は、専用の制御回路で構成されていてもよい。
【００３４】
制御部１９は、走査駆動手段１２や読み出し回路１４を制御して画像データの読み出し処理を行わせる等、ＦＰＤパネル１の各機能部の動作等を制御するようになっている。また、制御部１９には、ＳＲＡＭ（Static ＲＡＭ）やＳＤＲＡＭ（Synchronous ＤＲＡＭ）等で構成される記憶部２０が接続されている。
【００３５】
また、制御部１９には、走査駆動手段１２、読み出し回路１４、記憶部２０、バイアス電源１１等の各機能部に必要な電力を供給するバッテリー２１が接続されている。
【００３６】
さらに、制御部１９には、無線通信部２２が接続されており、無線通信部２２は、アンテナ装置２３を介して外部機器との間で無線通信を行うようになっている。無線通信部２２は、例えば、ＩＥＥＥ８０２．１１方式の無線ＬＡＮで外部機器と無線通信を行うように構成されている。
【００３７】
ＦＰＤパネル１は、「駆動状態」、「駆動準備状態」、「非駆動状態」の３段階の状態を取り得る。
【００３８】
駆動状態（レディー状態、撮影準備状態）とは、いつでも撮影可能な状態である。具体的には、ゲートドライバー１２ｂにより、走査線５の各ラインＬ１〜Ｌｘにオン電圧を印加して、放射線検出素子７に蓄積された電荷の読み出しを繰り返し行うことで、常に電荷がリセットされている状態である。ゲートドライバー１２ｂにより、走査線５を介してゲート電極８ｇにオフ電圧を印加することで、いつでも電荷の蓄積を開始することができる。ＦＰＤパネル１が駆動状態である場合、３段階の状態のうち、最も消費電力が大きい。制御部１９は、駆動状態において、放射線検出素子７から読み出される電荷の量に応じた信号値（放射線強度に相当）が予め定められた閾値を超えた場合に、放射線が照射されたと判断する。
【００３９】
駆動準備状態（スタンバイ状態、撮影待機状態）とは、すぐに駆動状態に遷移可能な状態であり、非駆動状態から駆動状態に移行する時間より、駆動準備状態から駆動状態に移行する時間の方が短い。具体的には、走査線５の各ラインＬ１〜Ｌｘにオン電圧／オフ電圧を印加せず、読み出しを停止している状態である。その他は全て駆動状態と同じ状態であり、電荷の読み出しのための電力の分、電力消費量が少ない状態である。すなわち、ＦＰＤパネル１が駆動準備状態である場合、駆動状態よりは消費電力が小さいが、非駆動状態よりは消費電力が大きい。非駆動状態から駆動状態へ移行するには数秒間かかるため、非駆動状態でユーザーが撮影しようとしてもすぐに撮影できないが、駆動準備状態では、放射線検出素子７に蓄積された電荷の読み出しを行い、電荷をリセットすることで、いつでも駆動状態に遷移可能である。
【００４０】
非駆動状態（スリープ状態）とは、一部ユニットに電力供給を停止した、撮影できない状態である。具体的には、外部機器からの信号を受信できるように無線通信部２２や制御部１９等の最小限起動していることが必要な機能部にのみ電力を供給し、それ以外への電力供給を停止している状態である。ＦＰＤパネル１が非駆動状態である場合、３段階の状態のうち、最も消費電力が小さい。
【００４１】
図４に、サーバー装置４０の機能的構成を示す。図４に示すように、サーバー装置４０は、制御部４１、操作部４２、表示部４３、通信部４４、ＲＡＭ４５、記憶部４６等を備えて構成され、各部はバス４７により接続されている。
【００４２】
制御部４１は、ＣＰＵ等により構成され、記憶部４６に記憶されているシステムプログラムや処理プログラム等の各種プログラムを読み出してＲＡＭ４５に展開し、展開されたプログラムに従って各種処理を実行する。
【００４３】
操作部４２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部４１に出力する。
【００４４】
表示部４３は、ＬＣＤ（Liquid Crystal Display）等のモニターを備えて構成されており、制御部４１から入力される表示信号の指示に従って、各種画面を表示する。
【００４５】
通信部４４は、ネットワークインターフェース等により構成され、通信ネットワークＮに接続された外部機器との間でデータの送受信を行う。
【００４６】
ＲＡＭ４５は、制御部４１により実行制御される各種処理において、記憶部４６から読み出された制御部４１で実行可能な各種プログラム、入力若しくは出力データ等を一時的に記憶するワークエリアとして機能する。
【００４７】
記憶部４６は、ＨＤＤ（Hard Disk Drive）や半導体の不揮発性メモリー等で構成されている。記憶部４６には、各種プログラムや、各種処理に必要なデータ等が記憶されている。例えば、記憶部４６には、データ管理プログラムＰ１、機器管理テーブルＴ１、画像管理テーブルＴ２、親子関係設定テーブルＴ３、画面管理テーブルＴ４、医用画像等が記憶されている。
【００４８】
機器管理テーブルＴ１は、画像の取り込みを指示したクライアント端末５０に関する情報を管理するためのテーブルである。機器管理テーブルＴ１には、画像の取り込みを指示したクライアント端末５０の「クライアント端末名（ＩＰアドレス等）」と、撮影対象患者の「患者ＩＤ」と、が対応付けられて格納される。
【００４９】
いずれかのクライアント端末５０から画像取り込み指示がなされた場合に、機器管理テーブルＴ１の「クライアント端末名」フィールド、「患者ＩＤ」フィールドに値が格納される。その後、画像取り込み指示に基づいて、ＦＰＤパネル１からサーバー装置４０に画像が取り込まれると、機器管理テーブルＴ１の「クライアント端末名」フィールド及び「患者ＩＤ」フィールドは、「ＮＵＬＬ」の状態に戻る。なお、サーバー装置４０は、機器管理テーブルＴ１の「クライアント端末名」フィールド及び「患者ＩＤ」フィールドが「ＮＵＬＬ」の場合にのみ、画像の取り込み指示を受け付けることができる（排他制御）。
【００５０】
図５に、画像管理テーブルＴ２の例を示す。画像管理テーブルＴ２は、医用画像に関する情報を管理するためのテーブルである。画像管理テーブルＴ２には、「クライアント端末名」、「患者ＩＤ」、「患者名」、「ファイルパス」等が対応付けられて１レコードとして格納される。
【００５１】
「クライアント端末名」フィールドには、画像の取り込みを指示したクライアント端末５０のクライアント端末名（ＩＰアドレス等）が格納される。対象画像が承認された場合（図１５に示すＯＫボタンＢ６が押下された場合）には、「クライアント端末名」フィールドは、「ＮＵＬＬ」の状態となる。
【００５２】
「患者ＩＤ」フィールドには、撮影対象患者の患者ＩＤが格納される。
「患者名」フィールドには、撮影対象患者の患者名（Ascii、カナ、漢字）が格納される。
「ファイルパス」フィールドには、対象画像のファイルの格納場所を示すファイルパスが格納される。
【００５３】
親子関係設定テーブルＴ３には、複数のクライアント端末５０の中の任意のクライアント端末５０について、リンク元となる親クライアント端末と、リンク先となる子クライアント端末と、の組み合わせが予め設定されている。すなわち、親子関係設定テーブルＴ３は、クライアント端末５０同士の親子関係（リンク関係）が設定されているテーブルである。一つの親クライアント端末に対して複数の子クライアント端末を設定することができ、また、一つの子クライアント端末に対して複数の親クライアント端末を設定することができる。また、同一の子クライアント端末に対して設定されている複数の親クライアント端末には、優先順位が設定されている。なお、一つの子クライアント端末に対して一つの親クライアント端末が設定されている場合には、設定されている親クライアント端末の優先順位は１番目となる。子クライアント端末に対して一旦親クライアント端末が決定した後は、途中で優先順位の高い親クライアント端末が起動されても、親クライアント端末を変えることはせず、子クライアント端末が再度ログインしない限りは、同一の親クライアント端末とのリンクが継続される。
【００５４】
図６に、親子関係設定テーブルＴ３の例を示す。図６に示す例では、各子クライアント端末に対して、一又は複数の親クライアント端末と、親クライアント端末の優先順位とが対応付けられている。親子関係設定テーブルＴ３では、各クライアント端末５０を特定するための情報として、例えば、ＩＰアドレス、ＰＣ名等が用いられる。
【００５５】
画面管理テーブルＴ４には、クライアント端末５０毎に、当該クライアント端末５０に表示されている操作画面のデータが記憶されている。本実施の形態では、操作画面のデータとして、各操作画面を表示するためのデータを用いる場合について説明するが、操作画面のデータとして、各操作画面を識別するための識別情報を用いることとしてもよい。
【００５６】
制御部４１は、複数のクライアント端末５０の各クライアント端末５０からの操作に応じて、当該操作が行われたクライアント端末５０に表示される操作画面のデータを当該操作が行われたクライアント端末５０に提供する。制御部４１は、子クライアント端末からアクセスがあった場合に、子クライアント端末と対応付けられている親クライアント端末に表示されている操作画面と同一の操作画面のデータを子クライアント端末に提供する。すなわち、制御部４１は、表示制御手段として機能する。
【００５７】
制御部４１は、各クライアント端末５０からの画像取り込み指示に基づいて、ＦＰＤパネル１により生成された医用画像を取り込み、取り込まれた医用画像を画像取り込み指示のあったクライアント端末５０に提供する。すなわち、制御部４１は、画像管理手段として機能する。
【００５８】
制御部４１は、各クライアント端末５０から画像取り込み指示が受信されたことを契機として、ＦＰＤパネル１に駆動状態への移行を指示する駆動指示を送信する。すなわち、制御部４１は、状態制御手段として機能する。
【００５９】
画像取り込み指示のあったクライアント端末５０では、ＦＰＤパネル１から取り込まれた医用画像を承認するか、破棄するかをユーザーが選択することができる。つまり、画像取り込み指示のあったクライアント端末５０のみが、取り込み後の医用画像の承認権限を有する。
制御部４１は、画像取り込み指示のあったクライアント端末５０から医用画像に対する承認指示があった場合に、画像管理テーブルＴ２の該当レコードにおける「クライアント端末名」フィールドを「ＮＵＬＬ」に変更し、承認された医用画像については他のクライアント端末５０からの参照を許可する。
【００６０】
図７に、クライアント端末５０の機能的構成を示す。図７に示すように、クライアント端末５０は、制御部５１、操作部５２、表示部５３、通信部５４、ＲＡＭ５５、記憶部５６等を備えて構成され、各部はバス５７により接続されている。
【００６１】
制御部５１は、ＣＰＵ等により構成され、記憶部５６に記憶されているシステムプログラムや処理プログラム等の各種プログラムを読み出してＲＡＭ５５に展開し、展開されたプログラムに従って各種処理を実行する。
【００６２】
操作部５２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部５１に出力する。
クライアント端末５０がタブレット型端末である場合には、操作部５２は、電源をオン／オフさせる電源キー等の操作キー、表示部５３に積層されたタッチパネルにより構成され、各操作キーに対応する操作信号、ユーザーの指等によるタッチ操作の位置に応じた操作信号を制御部５１に出力する。
【００６３】
表示部５３は、ＬＣＤで構成されており、制御部５１から入力される表示信号の指示に従って、各種画面を表示する。
【００６４】
通信部５４は、ネットワークインターフェース等により構成され、通信ネットワークＮに接続された外部機器との間でデータの送受信を行う。
通信部５４は、通信ネットワークＮに接続された外部機器との間でＷｉ−Ｆｉ（Wireless Fidelity）通信等の無線通信によりデータの送受信を行うものであってもよく、例えば、通信サービス事業者が設置した無線基地局を介して無線信号の送受信を行うアンテナやＲＦ変換器等によって実現される。また、通信部５４は、赤外線通信（ＩｒＤＡ／ＩｒＭＣ）、Bluetooth（登録商標）等を用いて、サーバー装置４０との間で無線通信を行うものであってもよい。
【００６５】
ＲＡＭ５５は、制御部５１により実行制御される各種処理において、記憶部５６から読み出された制御部５１で実行可能な各種プログラム、入力若しくは出力データ等を一時的に記憶するワークエリアとして機能する。
【００６６】
記憶部５６は、ＨＤＤや半導体の不揮発性メモリー等で構成されている。記憶部５６には、各種プログラムや、各種処理に必要なデータ等が記憶されている。例えば、記憶部５６には、アプリケーションプログラムＰ２等が記憶されている。
【００６７】
［クライアント端末における操作画面］
次に、図８を参照して、クライアント端末５０の表示部５３に表示される操作画面の遷移について説明する。各操作画面は、サーバー装置４０のＷｅｂサーバー機能により提供されるものである。
【００６８】
まず、クライアント端末５０において、操作部５２からの操作により、Ｗｅｂブラウザーにてサーバー装置４０にアクセスするための所定のＵＲＬ（Uniform Resource Locator）が入力されるか、あるいは、所定のＵＲＬに対応する所定のアイコンがダブルクリックされると、制御部５１により、所定のＵＲＬへのアクセス要求が通信部５４を介してサーバー装置４０に送信される。
【００６９】
サーバー装置４０では、通信部４４により、クライアント端末５０からアクセス要求が受信されると、制御部４１により、ログイン画面を表示するためのデータが通信部４４を介してアクセス要求があったクライアント端末５０に送信される。ログイン画面は、医用画像撮影システム１００へのログインを行うための操作画面である。制御部４１により、ログイン画面を表示するためのデータがクライアント端末５０と対応付けられて画面管理テーブルＴ４に格納される。
クライアント端末５０では、通信部５４により、ログイン画面を表示するためのデータが受信され、表示部５３にログイン画面が表示される。
【００７０】
図９に、ログイン画面５３１の例を示す。ログイン画面５３１には、ユーザーＩＤ入力欄Ａ１、パスワード入力欄Ａ２、ログインボタンＢ１が含まれる。
【００７１】
ログイン画面５３１において、操作部５２からの操作により、ユーザーＩＤ入力欄Ａ１、パスワード入力欄Ａ２にそれぞれユーザーＩＤ、パスワードが入力され（操作Ｕ１）、ログインボタンＢ１が押下されると、制御部５１により、ユーザーＩＤ、パスワード、クライアント端末５０のＩＰアドレスが通信部５４を介してサーバー装置４０に送信される。
【００７２】
サーバー装置４０では、通信部４４により、ユーザーＩＤ、パスワード、クライアント端末５０のＩＰアドレスが受信され、制御部４１により、受信されたユーザーＩＤとパスワードの組み合わせが予め登録されているユーザーＩＤとパスワードの組み合わせと合致するか否かが判断される。受信されたユーザーＩＤとパスワードの組み合わせが予め登録されているユーザーＩＤとパスワードの組み合わせと合致した場合には、制御部４１により、クライアント端末５０のユーザーに対してログインが許可される。
【００７３】
ログインが許可されると、サーバー装置４０では、制御部４１により、受付装置３０からその日に受付処理を行った患者の患者情報が取得され、取得された患者情報に基づいて、患者リスト画面を表示するためのデータが生成される。そして、制御部４１により、患者リスト画面を表示するためのデータが通信部４４を介してクライアント端末５０に送信される。患者リスト画面は、撮影対象患者を選択するための操作画面である。制御部４１により、患者リスト画面を表示するためのデータがクライアント端末５０と対応付けられて画面管理テーブルＴ４に格納される。
クライアント端末５０では、通信部５４により、患者リスト画面を表示するためのデータが受信され、表示部５３に患者リスト画面が表示される。
【００７４】
図１０に、患者リスト画面５３２の例を示す。患者リスト画面５３２には、患者リスト表示欄Ａ３、表示ボタンＢ２、ログアウトボタンＢ３が含まれる。患者リスト表示欄Ａ３には、その日に受付処理を行った患者の患者情報が表示される。表示ボタンＢ２は、患者リスト表示欄Ａ３において選択された患者の画像表示画面を表示することを指示するためのボタンである。ログアウトボタンＢ３は、医用画像撮影システム１００からのログアウトを指示するためのボタンである。
【００７５】
患者リスト画面５３２において、操作部５２からの操作により、患者リスト表示欄Ａ３に表示されている患者の中から撮影対象患者が選択され（操作Ｕ２）、表示ボタンＢ２が押下されると、制御部５１により、患者を示す情報（患者ＩＤ等）が通信部５４を介してサーバー装置４０に送信される。
【００７６】
サーバー装置４０では、通信部４４により、患者を示す情報が受信されると、制御部４１により、当該患者の画像表示画面を表示するためのデータが通信部４４を介してクライアント端末５０に送信される。画像表示画面は、医用画像の取り込みを指示するための操作画面である。制御部４１により、選択された患者の画像表示画面を表示するためのデータがクライアント端末５０と対応付けられて画面管理テーブルＴ４に格納される。
クライアント端末５０では、通信部５４により、画像表示画面を表示するためのデータが受信され、表示部５３に選択された患者の画像表示画面が表示される。
【００７７】
図１１に、画像表示画面５３３の例を示す。画像表示画面５３３には、検査リスト表示欄Ａ４、サムネイル画像表示欄Ａ５、画像表示欄Ａ６、画像取り込みボタンＢ４、戻るボタンＢ５が含まれる。検査リスト表示欄Ａ４には、撮影対象患者についてこれまでに行われた検査（撮影画像）のリストが表示される。サムネイル画像表示欄Ａ５には、検査リスト表示欄Ａ４において選択された検査により撮影された画像のサムネイル画像が表示される。画像表示欄Ａ６は、クライアント端末５０から取り込みが指示された医用画像や、サムネイル画像表示欄Ａ５に表示されているサムネイル画像の中から選択された診断対象画像が表示される。なお、画像を取り込む前や、診断対象画像を選択する前は、画像表示欄Ａ６には、画像は表示されていない。画像取り込みボタンＢ４は、画像生成装置（ＦＰＤパネル１等）毎に設けられており、対応する画像生成装置から送信される医用画像を、現在診断対象となっている患者の画像として取り込むことを指示するためのボタンである。戻るボタンＢ５は、患者リスト画面５３２に戻ることを指示するためのボタンである。
【００７８】
画像表示画面５３３において、操作部５２からの操作により、撮影を行うＦＰＤパネル１に対応する画像取り込みボタンＢ４が押下されると（操作Ｕ３）、制御部５１により、ＦＰＤパネル１から送信される医用画像を対象患者の画像として取り込む旨の指示（画像取り込み指示）が通信部５４を介してサーバー装置４０に送信される。
【００７９】
サーバー装置４０では、通信部４４により、画像取り込み指示が受信されると、制御部４１により、画像の取り込みを指示したクライアント端末５０のＩＰアドレス及び患者ＩＤが記憶部４６の機器管理テーブルＴ１に格納され、ＦＰＤパネル１において生成される医用画像の取り込み待機状態となる。
【００８０】
画像表示画面５３３において、操作部５２からの操作により、戻るボタンＢ５が押下されると（操作Ｕ４）、制御部５１により、患者リスト画面に戻る旨の指示が通信部５４を介してサーバー装置４０に送信される。
【００８１】
サーバー装置４０では、通信部４４により、患者リスト画面に戻る旨の指示が受信されると、制御部４１により、患者リスト画面を表示するためのデータが通信部４４を介してクライアント端末５０に送信される。制御部４１により、患者リスト画面を表示するためのデータがクライアント端末５０と対応付けられて画面管理テーブルＴ４に格納される。
クライアント端末５０では、通信部５４により、患者リスト画面を表示するためのデータが受信され、表示部５３に患者リスト画面が表示される。
【００８２】
患者リスト画面５３２において、操作部５２からの操作により、ログアウトボタンＢ３が押下されると（操作Ｕ５）、制御部５１により、ログアウトする旨の指示が通信部５４を介してサーバー装置４０に送信される。
【００８３】
サーバー装置４０では、通信部４４により、ログアウトする旨の指示が受信されると、制御部４１により、ログイン画面を表示するためのデータが通信部４４を介してクライアント端末５０に送信される。制御部４１により、ログイン画面を表示するためのデータがクライアント端末５０と対応付けられて画面管理テーブルＴ４に格納される。
クライアント端末５０では、通信部５４により、ログイン画面を表示するためのデータが受信され、表示部５３にログイン画面が表示される。
【００８４】
［事前準備］
医用画像撮影システム１００における事前準備として、親子関係設定テーブルＴ３の設定が行われる。
まず、サーバー装置４０の操作部４２からの操作により、まず、親クライアント端末が設定される。設定された親クライアント端末を特定するための情報（ＩＰアドレス、ＰＣ名等）は、制御部４１により、ＲＡＭ４５に記憶される。例えば、親クライアント端末として、クライアント端末５０Ｘ，５０Ｙが設定される。
【００８５】
次に、設定された親クライアント端末に対して、操作部４２からの操作により、子クライアント端末が設定される。各親クライアント端末に対して設定された子クライアント端末を特定するための情報（ＩＰアドレス、ＰＣ名等）は、制御部４１により、ＲＡＭ４５に記憶される。例えば、親クライアント端末となるクライアント端末５０Ｘに対する子クライアント端末として、クライアント端末５０Ａ，５０Ｂ，５０Ｃ，５０Ｄ，５０Ｅが設定され、親クライアント端末となるクライアント端末５０Ｙに対する子クライアント端末として、クライアント端末５０Ａ，５０Ｂ，５０Ｆ，５０Ｇ，５０Ｈが設定される。
【００８６】
次に、各子クライアント端末に対して、操作部４２からの操作により、親クライアント端末の優先順位が設定される。各子クライアント端末に対して設定された親クライアント端末の優先順位は、制御部４１により、ＲＡＭ４５に記憶される。例えば、子クライアント端末となるクライアント端末５０Ａには、優先順位１番目の親クライアント端末としてクライアント端末５０Ｘが設定され、優先順位２番目の親クライアント端末としてクライアント端末５０Ｙが設定される。また、子クライアント端末となるクライアント端末５０Ｂには、優先順位１番目の親クライアント端末としてクライアント端末５０Ｙが設定され、優先順位２番目の親クライアント端末としてクライアント端末５０Ｘが設定される。また、子クライアント端末となるクライアント端末５０Ｃ，５０Ｄ，５０Ｅには、それぞれ、優先順位１番目の親クライアント端末としてクライアント端末５０Ｘが設定される。また、子クライアント端末となるクライアント端末５０Ｆ，５０Ｇ，５０Ｈには、それぞれ、優先順位１番目の親クライアント端末としてクライアント端末５０Ｙが設定される。
以上のような設定後、制御部４１により、ＲＡＭ４５に記憶されている各種設定内容に基づいて、親子関係設定テーブルＴ３が生成される。
【００８７】
［医用画像撮影システムの動作］
次に、医用画像撮影システム１００における動作について説明する。
図１２〜図１４は、サーバー装置４０において行われる画像取り込み処理を示すフローチャートである。この処理は、制御部４１と記憶部４６に記憶されているデータ管理プログラムＰ１との協働によるソフトウェア処理によって実現される。
【００８８】
まず、制御部４１により、いずれかのクライアント端末５０において、サーバー装置４０へのアクセスがあったか否かが判断される（ステップＳ１）。具体的には、制御部４１により、通信部４４を介して、いずれかのクライアント端末５０から所定のＵＲＬへのアクセス要求が受信されたか否かが判断される。
いずれかのクライアント端末５０において、サーバー装置４０へのアクセスがあった場合には（ステップＳ１；ＹＥＳ）、制御部４１により、記憶部４６に記憶されている親子関係設定テーブルＴ３が参照され、このクライアント端末５０が子クライアント端末として設定されているか否かが判断される（ステップＳ２）。
【００８９】
アクセスがあったクライアント端末５０が子クライアント端末として設定されている場合には（ステップＳ２；ＹＥＳ）、制御部４１により、ｉの初期値として１が設定される（ステップＳ３）。
【００９０】
次に、制御部４１により、記憶部４６に記憶されている親子関係設定テーブルＴ３が参照され、アクセスがあったクライアント端末５０（子クライアント端末）に対して、優先順位がｉ番目に設定されている親クライアント端末が取得され、優先順位がｉ番目の親クライアント端末がログイン中であるか否かが判断される（ステップＳ４）。
【００９１】
優先順位がｉ番目の親クライアント端末がログイン中でない場合には（ステップＳ４；ＮＯ）、制御部４１により、記憶部４６に記憶されている親子関係設定テーブルＴ３が参照され、アクセスがあったクライアント端末５０に対して、他の親クライアント端末が設定されているか否かが判断される（ステップＳ５）。他の親クライアント端末が設定されている場合には（ステップＳ５；ＹＥＳ）、制御部４１により、ｉが１だけインクリメントされ（ステップＳ６）、ステップＳ４に戻る。このように、優先順位に従って、親クライアント端末がログイン中であるか否かが順に判断されていく。
【００９２】
ステップＳ２において、アクセスがあったクライアント端末５０が子クライアント端末として設定されていない場合（ステップＳ２；ＮＯ）、又は、ステップＳ５において、アクセスがあったクライアント端末５０に対して、他の親クライアント端末が設定されていない場合（子クライアント端末に対して設定されている全ての親クライアント端末がログイン中でない場合）には（ステップＳ５；ＮＯ）、制御部４１により、ログイン画面を表示するためのデータが通信部４４を介してクライアント端末５０に送信される（ステップＳ７）。
クライアント端末５０の表示部５３には、ログイン画面が表示される（図９参照）。そして、クライアント端末５０では、クライアント端末５０が単体として起動した場合と同様の操作手順に基づいて、通常通りの処理が行われる。
【００９３】
ステップＳ４において、優先順位がｉ番目の親クライアント端末がログイン中である場合には（ステップＳ４；ＹＥＳ）、制御部４１により、アクセスがあったクライアント端末５０が、優先順位がｉ番目に設定されている親クライアント端末とリンクされる（ステップＳ８）。クライアント端末５０同士の親子関係が成立した場合には、親クライアント端末に表示される画像表示画面の画像取り込みボタンは無効となる。
【００９４】
以下、ステップＳ８においてリンクされた親クライアント端末がクライアント端末５０Ｘであり、ステップＳ１においてアクセスがあった子クライアント端末がクライアント端末５０Ａである場合を例にして説明する。
【００９５】
図１３に移行し、制御部４１により、記憶部４６の画面管理テーブルＴ４に記憶されている親クライアント端末５０Ｘの操作画面のデータが参照され、親クライアント端末５０Ｘの表示部５３に画像表示画面が表示されているか否かが判断される（ステップＳ９）。
親クライアント端末５０Ｘの表示部５３に画像表示画面が表示されている場合には（ステップＳ９；ＹＥＳ）、制御部４１により、親クライアント端末５０Ｘの表示部５３に表示されている画像表示画面と同じ患者の画像表示画面を表示するためのデータが通信部４４を介して子クライアント端末５０Ａに送信される（ステップＳ１０）。制御部４１により、親クライアント端末５０Ｘと同じ患者の画像表示画面を表示するためのデータが子クライアント端末５０Ａと対応付けられて画面管理テーブルＴ４に格納される。
子クライアント端末５０Ａの表示部５３には、親クライアント端末５０Ｘと同じ患者の画像表示画面が表示される（図１１参照）。
【００９６】
ステップＳ９において、親クライアント端末５０Ｘの表示部５３に画像表示画面が表示されていない場合（ステップＳ９；ＮＯ）、すなわち、親クライアント端末５０Ｘの表示部５３に患者リスト画面が表示されている場合には、制御部４１により、患者リスト画面を表示するためのデータが通信部４４を介して子クライアント端末５０Ａに送信される（ステップＳ１１）。制御部４１により、患者リスト画面を表示するためのデータが子クライアント端末５０Ａと対応付けられて画面管理テーブルＴ４に格納される。
子クライアント端末５０Ａの表示部５３には、患者リスト画面（親クライアント端末５０Ｘと同じ操作画面）が表示される（図１０参照）。
【００９７】
次に、制御部４１により、子クライアント端末５０Ａの表示部５３に表示されている患者リスト画面において、操作部５２からの操作により、ログアウトする旨の指示があったか否かが判断される（ステップＳ１２）。具体的には、制御部４１により、子クライアント端末５０Ａにおいて、患者リスト画面のログアウトボタンが押下されたか否かが判断される。
子クライアント端末５０Ａにおいて、ログアウトする旨の指示があった場合には（ステップＳ１２；ＹＥＳ）、制御部４１により、ログイン画面を表示するためのデータが通信部４４を介して子クライアント端末５０Ａに送信され、子クライアント端末５０Ａにおける処理が終了する。
【００９８】
ステップＳ１２で、子クライアント端末５０Ａにおいて、ログアウトする旨の指示がない場合には（ステップＳ１２；ＮＯ）、制御部４１により、子クライアント端末５０Ａの表示部５３に表示されている患者リスト画面において、操作部５２からの操作により、患者が選択されたか否かが判断される（ステップＳ１３）。
子クライアント端末５０Ａの患者リスト画面において、患者が選択されない場合には（ステップＳ１３；ＮＯ）、ステップＳ１２に戻る。
【００９９】
ステップＳ１３で、子クライアント端末５０Ａの表示部５３に表示されている患者リスト画面において、患者が選択された場合には（ステップＳ１３；ＹＥＳ）、制御部４１により、選択された患者の画像表示画面を表示するためのデータが通信部４４を介して子クライアント端末５０Ａに送信される（ステップＳ１４）。制御部４１により、選択された患者の画像表示画面を表示するためのデータが子クライアント端末５０Ａと対応付けられて画面管理テーブルＴ４に格納される。
子クライアント端末５０Ａの表示部５３には、選択された患者の画像表示画面が表示される（図１１参照）。
【０１００】
ステップＳ１０又はステップＳ１４の後、すなわち、子クライアント端末５０Ａの表示部５３に表示される画面が、撮影対象患者の画像表示画面に遷移したタイミングで、制御部４１により、ＦＰＤパネル１に駆動準備状態への移行を指示する駆動準備指示が通信部４４を介して送信される（ステップＳ１５）。
ＦＰＤパネル１では、無線通信部２２により、駆動準備指示が受信されると、制御部１９により、駆動準備状態に変更される。
【０１０１】
次に、図１４に移行し、制御部４１により、子クライアント端末５０Ａの表示部５３に表示されている画像表示画面において、操作部５２からの操作により、画像取り込み指示があったか否かが判断される（ステップＳ１６）。具体的には、制御部４１により、子クライアント端末５０Ａにおいて、画像表示画面の画像取り込みボタンが押下されたか否かが判断される。
子クライアント端末５０Ａにおいて、画像取り込み指示があった場合には（ステップＳ１６；ＹＥＳ）、制御部４１により、画像取り込み指示を送信した子クライアント端末５０Ａの「クライアント端末名（ＩＰアドレス等）」と、撮影対象患者の「患者ＩＤ」と、が対応付けられて記憶部４６の機器管理テーブルＴ１に格納され、サーバー装置４０は、ＦＰＤパネル１において生成される医用画像の取り込み待機状態となる。また、子クライアント端末５０Ａから画像取り込み指示が受信されたことを契機として、制御部４１により、ＦＰＤパネル１に駆動状態への移行を指示する駆動指示が通信部４４を介して送信される（ステップＳ１７）。
ＦＰＤパネル１では、無線通信部２２により、駆動指示が受信されると、制御部１９により、駆動状態に変更され、放射線発生装置からの放射線照射の待機状態となる。
【０１０２】
放射線発生装置において放射線が照射されると、ＦＰＤパネル１では、制御部１９により、放射線発生装置による放射線の照射が検知され、画像が読み取られる。具体的には、制御部１９により、放射線の照射に応じて、各放射線検出素子７における画像生成用の電荷の蓄積が開始され、所定時間経過後に各放射線検出素子７に蓄積された電荷が読み出され、被写体を透過した放射線量に基づく画像信号が取得され、画像データが生成される。ＦＰＤパネル１では、制御部１９により、読み取られた医用画像が無線通信部２２を介してサーバー装置４０に送信される。
【０１０３】
サーバー装置４０では、通信部４４により、ＦＰＤパネル１から送信された医用画像が受信されると（ステップＳ１８；ＹＥＳ）、制御部４１により、受信された医用画像が患者とが対応付けられて記憶部４６に保存される（ステップＳ１９）。具体的には、制御部４１により、ＦＰＤパネル１から送信された医用画像が記憶部４６に記憶されるとともに、記憶部４６の画像管理テーブルＴ２の「クライアント端末名」フィールドに画像の取り込みを指示した子クライアント端末５０Ａのクライアント端末名が格納され、「患者ＩＤ」フィールドに患者の患者ＩＤが格納され、「患者名」フィールドに患者の患者名が格納され、「ファイルパス」フィールドに医用画像のファイルの格納場所を示すファイルパスが格納される。また、制御部４１により、記憶部４６の機器管理テーブルＴ１の「クライアント端末名」フィールド及び「患者ＩＤ」フィールドは、「ＮＵＬＬ」に変更される。
【０１０４】
次に、制御部４１により、ＦＰＤパネル１から取り込まれた医用画像が通信部４４を介して子クライアント端末５０Ａに送信される（ステップＳ２０）。
子クライアント端末５０Ａでは、サーバー装置４０から送信された医用画像が表示部５３に表示される。
図１５に、医用画像が表示された状態の画像表示画面５３４の例を示す。画像表示画面５３４において、画像表示欄Ａ６にサーバー装置４０から取得された医用画像が表示されており、ＯＫ／ＮＧを選択するためのＯＫボタンＢ６、ＮＧボタンＢ７が表示されている。ＯＫボタンＢ６は、画像表示欄Ａ６に表示されている医用画像を承認することを指示するためのボタンである。ＮＧボタンＢ７は、画像表示欄Ａ６に表示されている医用画像を破棄することを指示するためのボタンである。
【０１０５】
子クライアント端末５０Ａにおいて、ユーザーが操作部５２からの操作により、表示部５３に表示されている医用画像が診断に適した画像であるか否か（ＯＫ／ＮＧ）を選択すると、制御部５１により、ＯＫ又はＮＧの選択結果が通信部５４を介してサーバー装置４０に送信される。
【０１０６】
サーバー装置４０では、通信部４４により、子クライアント端末５０ＡからＯＫ又はＮＧの選択結果が受信される。選択結果が「ＯＫ」であった場合には（ステップＳ２１；ＹＥＳ）、制御部４１により、医用画像が承認される（ステップＳ２２）。具体的には、制御部４１により、記憶部４６の画像管理テーブルＴ２の対象レコードの「クライアント端末名」フィールドが「ＮＵＬＬ」に変更される。これ以降、制御部４１により、ステップＳ１９で保存された医用画像は、他のクライアント端末５０に対しても公開される。また、親クライアント端末５０Ｘの表示部５３に撮影された患者の画像表示画面が表示されている場合には、制御部４１により、承認された医用画像が通信部４４を介して親クライアント端末５０Ｘに送信され、親クライアント端末５０Ｘにおいても、承認された医用画像が表示される。
【０１０７】
一方、選択結果が「ＮＧ」であった場合には（ステップＳ２１；ＮＯ）、制御部４１により、ステップＳ１９で保存された医用画像が記憶部４６から破棄される（ステップＳ２３）。また、制御部４１により、記憶部４６に記憶されている画像管理テーブルＴ２から当該医用画像に関するレコードも削除される。
【０１０８】
ステップＳ１６で、子クライアント端末５０Ａにおいて、画像取り込み指示がない場合（ステップＳ１６；ＮＯ）、ステップＳ２２又はステップＳ２３の後、制御部４１により、子クライアント端末５０Ａの表示部５３に表示されている画像表示画面において、操作部５２からの操作により、患者リスト画面に戻る旨の指示があったか否かが判断される（ステップＳ２４）。具体的には、制御部４１により、子クライアント端末５０Ａにおいて、画像表示画面の戻るボタンが押下されたか否かが判断される。
患者リスト画面に戻る旨の指示がない場合には（ステップＳ２４；ＮＯ）、ステップＳ１６に戻り、処理が繰り返される。
【０１０９】
ステップＳ２４で、子クライアント端末５０Ａにおいて、患者リスト画面に戻る旨の指示があった場合には（ステップＳ２４；ＹＥＳ）、図１３のステップＳ１１に移行する。
【０１１０】
次に、図１６を参照して、クライアント端末５０Ｘとクライアント端末５０Ａとの間で親子関係が成立している途中で、親クライアント端末５０Ｘで画像表示画面への遷移があった場合に、サーバー装置４０において割り込み的に行われる処理について説明する。この処理は、制御部４１と記憶部４６に記憶されているデータ管理プログラムＰ１との協働によるソフトウェア処理によって実現される。
【０１１１】
制御部４１により、親クライアント端末５０Ｘにおいて、表示部５３に表示される画面が画像表示画面へ遷移したか否かが判断される（ステップＳ３１）。具体的には、親クライアント端末５０Ｘにおいて、患者リスト画面で患者が選択されると、患者を示す情報（患者ＩＤ等）がサーバー装置４０に送信される。サーバー装置４０において、親クライアント端末５０Ｘから患者を示す情報が受信されると、制御部４１により、当該患者の画像表示画面を表示するためのデータが通信部４４を介して親クライアント端末５０Ｘに送信される。ここで、制御部４１により、親クライアント端末５０Ｘにおいて、画像表示画面への遷移があったと判断される。制御部４１により、選択された患者の画像表示画面を表示するためのデータが親クライアント端末５０Ｘと対応付けられて画面管理テーブルＴ４に格納される。
【０１１２】
親クライアント端末５０Ｘにおいて、表示部５３に表示される画面が画像表示画面へ遷移した場合には（ステップＳ３１；ＹＥＳ）、制御部４１により、画面管理テーブルＴ４に記憶されている子クライアント端末５０Ａの操作画面のデータが参照され、子クライアント端末５０Ａの表示部５３に画像表示画面が表示されているか否かが判断される（ステップＳ３２）。
【０１１３】
子クライアント端末５０Ａの表示部５３に画像表示画面が表示されていない場合には（ステップＳ３２；ＮＯ）、制御部４１により、確認メッセージ画面を表示するためのデータが通信部４４を介して子クライアント端末５０Ａに送信される（ステップＳ３３）。確認メッセージ画面は、親クライアント端末５０Ｘにおいて、ある患者の画像表示画面へ遷移したことに連動して、子クライアント端末５０Ａにおける操作画面の表示を変更するか否かを確認させるための画面である。
子クライアント端末５０Ａの表示部５３には、確認メッセージ画面が表示される。例えば、確認メッセージ画面として、「親クライアント端末にて患者○○の画像表示画面が開かれました。遷移しますか？」というメッセージとともに、ＹＥＳボタンとＮＯボタンとが表示される。ＹＥＳボタンは、親クライアント端末５０Ｘの画面遷移に連動して子クライアント端末５０Ａの操作画面を遷移させることを指示するためのボタンである。ＮＯボタンは、子クライアント端末５０Ａの操作画面を親クライアント端末５０Ｘの画面遷移に連動させないことを指示するためのボタンである。
【０１１４】
子クライアント端末５０Ａにおいて、ユーザーが操作部５２からの操作により、親クライアント端末５０Ｘの画面遷移に連動して画面遷移を行うか否か（ＹＥＳ／ＮＯ）を選択すると、制御部５１により、ＹＥＳ又はＮＯの選択結果が通信部５４を介してサーバー装置４０に送信される。
【０１１５】
サーバー装置４０では、通信部４４により、子クライアント端末５０ＡからＹＥＳ又はＮＯの選択結果が受信される。選択結果が「ＹＥＳ」であった場合（ステップＳ３４；ＹＥＳ）、すなわち、遷移指示があった場合には、制御部４１により、親クライアント端末５０Ｘの表示部５３に表示されている画像表示画面と同じ患者の画像表示画面を表示するためのデータが通信部４４を介して子クライアント端末５０Ａに送信される（ステップＳ３５）。制御部４１により、親クライアント端末５０Ｘと同じ患者の画像表示画面を表示するためのデータが子クライアント端末５０Ａと対応付けられて画面管理テーブルＴ４に格納される。
子クライアント端末５０Ａの表示部５３には、親クライアント端末５０Ｘと同じ患者の画像表示画面が表示される。
【０１１６】
また、子クライアント端末５０Ａの表示部５３に表示される画面が、撮影対象患者の画像表示画面に遷移したタイミングで、制御部４１により、ＦＰＤパネル１に駆動準備状態への移行を指示する駆動準備指示が通信部４４を介して送信される（ステップＳ３６）。
ＦＰＤパネル１では、無線通信部２２により、駆動準備指示が受信されると、制御部１９により、駆動準備状態に変更される。
ステップＳ３６の後、図１４のステップＳ１６に移行する。
【０１１７】
ステップＳ３２において、子クライアント端末５０Ａの表示部５３に画像表示画面が表示されている場合には（ステップＳ３２；ＹＥＳ）、制御部４１により、記憶部４６の画面管理テーブルＴ４に記憶されている子クライアント端末５０Ａの操作画面のデータと親クライアント端末５０Ｘの操作画面のデータとが比較され、子クライアント端末５０Ａの表示部５３に表示されている画像表示画面が、親クライアント端末５０Ｘの表示部５３に表示されている画像表示画面と同じであるか否かが判断される（ステップＳ３７）。
【０１１８】
子クライアント端末５０Ａの表示部５３に表示されている画像表示画面が、親クライアント端末５０Ｘの表示部５３に表示されている画像表示画面と異なる場合には（ステップＳ３７；ＮＯ）、制御部４１により、子クライアント端末５０Ａの表示部５３に表示されている画像表示画面において、画像取り込みボタンが押下されているか否かが判断される（ステップＳ３８）。
【０１１９】
子クライアント端末５０Ａの表示部５３に表示されている画像表示画面において、画像取り込みボタンが押下されていない場合には（ステップＳ３８；ＮＯ）、ステップＳ３３に移行する。
【０１２０】
ステップＳ３８において、子クライアント端末５０Ａの表示部５３に表示されている画像表示画面で画像取り込みボタンが押下されている場合には（ステップＳ３８；ＹＥＳ）、画像の取り違えを防ぐために、操作画面を親クライアント端末５０Ｘの画面遷移に連動させる連動処理は行われない（ステップＳ３９）。すなわち、子クライアント端末５０Ａでは、表示部５３に表示されている画像表示画面が維持される。
【０１２１】
ステップＳ３７において、子クライアント端末５０Ａの表示部５３に表示されている画像表示画面が、親クライアント端末５０Ｘの表示部５３に表示されている画像表示画面と同じ場合には（ステップＳ３７；ＹＥＳ）、子クライアント端末５０Ａにおける表示を親クライアント端末５０Ｘにおける表示に合わせる必要がないため、連動処理は行われない（ステップＳ３９）。
【０１２２】
ステップＳ３４において、選択結果が「ＮＯ」であった場合（ステップＳ３４；ＮＯ）、すなわち、遷移指示がなかった場合には、連動処理は行われない（ステップＳ３９）。
【０１２３】
以上説明したように、本実施の形態によれば、予め設定しておいたクライアント端末５０同士の親子関係に基づいて、親クライアント端末５０Ｘにおいて手順を踏んで表示された操作画面と同一の操作画面を、子クライアント端末５０Ａにおいて、親クライアント端末５０Ｘと同様の手順を踏むことなく表示することができる。したがって、クライアント端末５０における操作性を向上させることができる。
【０１２４】
例えば、診察室Ｒ１に設置された親クライアント端末５０Ｘに画像表示画面が表示されている場合に、撮影室Ｒ２に設置された子クライアント端末５０Ａからアクセスが行われると、子クライアント端末５０Ａに親クライアント端末５０Ｘと同じ患者の画像表示画面が表示される。
【０１２５】
具体的には、診察室Ｒ１に設置された親クライアント端末５０Ｘにて、医師がログイン画面においてユーザー名とパスワードを入力し（操作Ｕ１）、患者リスト画面において患者を選択して（操作Ｕ２）、その患者の画像表示画面が表示されている状態で、医師が患者とともに撮影室Ｒ２へ移動したとする。
この状態で、撮影室Ｒ２に設置された子クライアント端末５０Ａにて、サーバー装置４０にアクセスすると、親クライアント端末５０Ｘに表示されている選択患者の画像表示画面が、子クライアント端末５０Ａにも表示される。すなわち、子クライアント端末５０Ａにおいて、操作Ｕ１，Ｕ２が不要となる。ユーザーが患者名を覚えておき、子クライアント端末５０Ａにおいて、再度その患者を患者リスト画面から選択するという操作を省くことができ、ユーザーの記憶に頼ることなくワークフローをスムーズに進めることが可能となる。
【０１２６】
また、親クライアント端末５０Ｘに患者リスト画面が表示されている場合に、子クライアント端末５０Ａからアクセスが行われると、子クライアント端末５０Ａに患者リスト画面が表示される。すなわち、子クライアント端末５０Ａにおいて、操作Ｕ１が不要となる。
また、親クライアント端末５０Ｘがログインしていない場合に、子クライアント端末５０Ａからアクセスが行われると、子クライアント端末５０Ａにログイン画面が表示される。
【０１２７】
また、親クライアント端末５０Ｘにおいて、別の患者の画像表示画面に遷移した場合に、子クライアント端末５０Ａの操作画面を親クライアント端末５０Ｘと同じ患者の画像表示画面に遷移させることができる。
ただし、患者の取り違えを防ぐため、子クライアント端末５０Ａにて、画像取り込みボタンが押下されている場合には、子クライアント端末５０Ａの画面遷移は行われない。この場合、子クライアント端末５０Ａにて、患者リスト画面に戻るための操作が行われたタイミングで、親クライアント端末５０Ｘとの画面の同期を取り、画面遷移を行えばよい。
【０１２８】
また、撮影室Ｒ２に設置されたクライアント端末５０Ａにて画像取り込みボタンを押下することで、撮影直前にＦＰＤパネル１を駆動状態に移行させることができる。したがって、ＦＰＤパネル１において、振動による誤検知を防ぐとともに、バッテリー２１の消費を抑えることができる。
【０１２９】
なお、上記実施の形態における記述は、本発明に係る医用画像撮影システムの例であり、これに限定されるものではない。システムを構成する各装置の細部構成及び細部動作に関しても本発明の趣旨を逸脱することのない範囲で適宜変更可能である。
【０１３０】
例えば、上記実施の形態では、撮影室Ｒ２に設置されたクライアント端末５０Ａにおける操作画面が画像表示画面に遷移したタイミングで、ＦＰＤパネル１を駆動準備状態とすることとしたが、診察室Ｒ１に設置された親クライアント端末５０Ｘにおける操作画面が画像表示画面に遷移したタイミングで、ＦＰＤパネル１を駆動準備状態としてもよい。
【０１３１】
以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１３２】
１  ＦＰＤパネル
７  放射線検出素子
１９  制御部
２２  無線通信部
４０  サーバー装置
４１  制御部
４４  通信部
４６  記憶部
５０  クライアント端末
５０Ａ，５０Ｘ，・・・  クライアント端末
５１  制御部
５２  操作部
５３  表示部
５４  通信部
５６  記憶部
１００  医用画像撮影システム
５３１  ログイン画面
５３２  患者リスト画面
５３３  画像表示画面
５３４  画像表示画面
Ｎ  通信ネットワーク
Ａ１  ユーザーＩＤ入力欄
Ａ２  パスワード入力欄
Ａ３  患者リスト表示欄
Ａ６  画像表示欄
Ｂ１  ログインボタン
Ｂ２  表示ボタン
Ｂ３  ログアウトボタン
Ｂ４  画像取り込みボタン
Ｂ５  戻るボタン
Ｔ１  機器管理テーブル
Ｔ２  画像管理テーブル
Ｔ３  親子関係設定テーブル
Ｔ４  画面管理テーブル
【図１】
2014124379.tif 000003
【図２】
2014124379.tif 000004
【図３】
2014124379.tif 000005
【図４】
2014124379.tif 000006
【図５】
2014124379.tif 000007
【図６】
2014124379.tif 000008
【図７】
2014124379.tif 000009
【図８】
2014124379.tif 000010
【図９】
2014124379.tif 000011
【図１０】
2014124379.tif 000012
【図１１】
2014124379.tif 000013
【図１２】
2014124379.tif 000014
【図１３】
2014124379.tif 000015
【図１４】
2014124379.tif 000016
【図１５】
2014124379.tif 000017
【図１６】
2014124379.tif 000018